(57)【要約】【課題】本発明は、小型化し易く、かつ微量流体を精度良く吐出可能なマイクロポンプを提供する。【解決手段】  マイクロポンプ１は、スポンジ状部材６を封入した袋状部材３と、ポンプケース２に回動自在に支持された圧迫部材４と、圧迫部材４を吸引する電磁コイル５と、を備える。袋状部材３及びスポンジ状部材６は、メインタンク３１と、分注タンク３２と、分離帯３３と、を有する。圧迫部材４は、一端に回動支点部４５と、他端に作用部４６と、これらの間に規制部４７と、を有する。電磁コイル５により回動した圧迫部材４が、分注タンク３２を圧迫して薬液を吐出させるので、簡単な構成で小型化し易いマイクロポンプ１を作製できる。また、分離帯３３が規制部４７に圧閉され、薬液がメインタンク３１から分注タンク３２へ瞬時に移動することが抑制され、分注タンク３２から一定の少量の薬液を精度良く吐出できる。【選択図】図１
2014180447.tif 000002
【特許請求の範囲】
【請求項１】
ポンプケースと、前記ポンプケース内に設けられ、液体を含浸させてなる可撓性の袋状部材と、前記ポンプケース内に設けられ、変位することにより前記袋状部材上から該部材を圧迫する磁性体を有した圧迫部材と、前記圧迫部材の磁性体を磁気吸引して該圧迫部材を変位させる電磁コイルと、を備えたマイクロポンプであって、
前記袋状部材は、該袋状部材内に封入されて圧縮及び復元自在なスポンジ状部材と、該袋状部材の後記小容量貯蔵部内の液体を前記ポンプケース外へ吐出するための吐出チューブと、を有し、
前記袋状部材及びスポンジ状部材は、これら内部に含ませた液体が大容量と小容量とに分けて貯蔵されるように、くびれ部でもって連通された大容量貯蔵部及び小容量貯蔵部を有し、
前記くびれ部は、前記袋状部材が圧迫された際に該袋状部材の大容量貯蔵部から小容量貯蔵部に液体が瞬時に移動することを抑制し、
前記圧迫部材の磁性体が前記電磁コイルに磁気吸引されて変位することにより、前記袋状部材が圧迫されて、前記袋状部材及びスポンジ状部材の小容量貯蔵部に含まれる液体が一定量に規制されて前記吐出チューブから吐出されることを特徴とするマイクロポンプ。
【請求項２】
前記圧迫部材は、前記ポンプケースにヒンジにより回動自在に支持され、また、その一端に該圧迫部材が回動する際の支点としての回動支点部と、他端に前記電磁コイルによって磁性体が磁気吸引されることにより前記圧迫部材を前記回動支点部回りに回動させる作用部と、前記回動支点部と作用部との間に前記袋状部材のくびれ部を圧迫して液体の吐出量を規制する規制部と、を有し、
前記圧迫部材が回動することにより、前記規制部が前記くびれ部を圧閉し、さらに、前記圧迫部材が前記規制部を支点として前記小容量貯蔵部を圧迫することを特徴とする請求項１に記載のマイクロポンプ。
【請求項３】
前記圧迫部材の磁性体は、前記電磁コイルにより磁気吸引されることにより変位して前記小容量貯蔵部を圧迫する磁石から成り、
前記磁石と電磁コイルは、前記小容量貯蔵部を挟んで対向配置され、
前記磁石は、ガイドピンにより変位自在に設けられ、かつ前記電磁コイルにより磁気吸引されないとき前記小容量貯蔵部を圧迫しない位置に戻るように、該電磁コイルがある側とは反対側に、該磁石が吸着される第２の磁性体を配置したことを特徴とする請求項１に記載のマイクロポンプ。
【請求項４】
前記吐出チューブに逆流防止用のバルブが取り付けられることを特徴とする請求項１乃至請求項３のいずれか一項に記載のマイクロポンプ。
【発明の詳細な説明】
【技術分野】
【０００１】
本発明は、微量の流体を吐出するマイクロポンプに関する。
【背景技術】
【０００２】
従来から、例えば動物を用いた薬効テスト又は糖尿病患者へのインスリン注入のために、動物又は人体の皮下に埋め込み可能な微量の流体（毎分１マイクロリットル以下）注入ポンプとして、主にマイクロポンプが用いられてきた（例えば、特許文献１参照）。この種のマイクロポンプは、同一軸に軸支された第１カム及び第２カムと、流体を貯蔵したリザーバに接続され、かつ第１及び第２カム回りにリング状に配置されたチューブと、このチューブと第１及び第２カムとの間に配置された複数のフィンガーと、減速機構を介して第１及び第２カムに連結されたモータと、を備えている。モータが駆動されることにより、第１及び第２カムが回転して複数のフィンガーを順次押圧し、さらに、これらフィンガーがチューブを順次圧閉することにより、チューブ内の流体が上流側から下流側へ移動してチューブの吐出口から吐出される。
【先行技術文献】
【特許文献】
【０００３】
【特許文献１】特開２０１０−２４６８５６号公報
【発明の概要】
【発明が解決しようとする課題】
【０００４】
しかしながら、上記特許文献１に示されるようなマイクロポンプは、チューブ、第１及び第２カム、モータ及び減速機構等が組み合わされた複雑な構成を採用しており、マイクロポンプが大型化してしまう。このようなマイクロポンプが例えば薬効テストにおいて、実験用マウスの皮下に埋め込まれた場合、マウスが正常に動けなくなり、薬効テストを適切に行うことができなくなる虞がある。また、微量の薬液を間欠的にマウスに注入するためには、チューブを瞬間的に圧閉すればよく、モータ駆動によってチューブを連続的に圧閉する必要はない。むしろ、薬効テストを精度良く行うために、吐出される薬液の微量精度を確保することが重要である。
【０００５】
本発明は、上記課題を解決するためになされたものであり、小型化し易く、かつ微量の流体を精度良く吐出可能なマイクロポンプを提供することを目的とする。
【課題を解決するための手段】
【０００６】
上記課題を達成するために、本発明のマイクロポンプは、ポンプケースと、前記ポンプケース内に設けられ、液体を含浸させてなる可撓性の袋状部材と、前記ポンプケース内に設けられ、変位することにより前記袋状部材上から該部材を圧迫する磁性体を有した圧迫部材と、前記圧迫部材の磁性体を磁気吸引して該圧迫部材を変位させる電磁コイルと、を備えたマイクロポンプであって、前記袋状部材は、該袋状部材内に封入されて圧縮及び復元自在なスポンジ状部材と、該袋状部材の後記小容量貯蔵部内の液体を前記ポンプケース外へ吐出するための吐出チューブと、を有し、前記袋状部材及びスポンジ状部材は、これら内部に含ませた液体が大容量と小容量とに分けて貯蔵されるように、くびれ部でもって連通された大容量貯蔵部及び小容量貯蔵部を有し、前記くびれ部は、前記袋状部材が圧迫された際に該袋状部材の大容量貯蔵部から小容量貯蔵部に液体が瞬時に移動することを抑制し、前記圧迫部材の磁性体が前記電磁コイルに磁気吸引されて変位することにより、前記袋状部材が圧迫されて、前記袋状部材及びスポンジ状部材の小容量貯蔵部に含まれる液体が一定量に規制されて前記吐出チューブから吐出されることを特徴とする。
【０００７】
上記マイクロポンプにおいて、前記圧迫部材は、前記ポンプケースにヒンジにより回動自在に支持され、また、その一端に該圧迫部材が回動する際の支点としての回動支点部と、他端に前記電磁コイルによって磁性体が磁気吸引されることにより前記圧迫部材を前記回動支点部回りに回動させる作用部と、前記回動支点部と作用部との間に前記袋状部材のくびれ部を圧迫して液体の吐出量を規制する規制部と、を有し、前記圧迫部材が回動することにより、前記規制部が前記くびれ部を圧閉し、さらに、前記圧迫部材が前記規制部を支点として前記小容量貯蔵部を圧迫することが好ましい。
【０００８】
上記マイクロポンプにおいて、前記圧迫部材の磁性体は、前記電磁コイルにより磁気吸引されることにより変位して前記小容量貯蔵部を圧迫する磁石から成り、前記磁石と電磁コイルは、前記小容量貯蔵部を挟んで対向配置され、前記磁石は、ガイドピンにより変位自在に設けられ、かつ前記電磁コイルにより磁気吸引されないとき前記小容量貯蔵部を圧迫しない位置に戻るように、該電磁コイルがある側とは反対側に、該磁石が吸着される第２の磁性体を配置したことが好ましい。
【０００９】
上記マイクロポンプにおいて、前記吐出チューブに逆流防止用のバルブが取り付けられることが好ましい。
【発明の効果】
【００１０】
本発明のマイクロポンプによれば、電磁コイルの磁気吸引力によって変位した圧迫部材が、袋状部材の小容量貯蔵部を圧迫することにより、スポンジ状部材の小容量貯蔵部内の液体が吐出チューブから吐出されるので、簡単な構成で小型化し易いマイクロポンプを作製することができる。また、袋状部材にはくびれ部があるので、液体が大容量貯蔵部から小容量貯蔵部へ移動することが抑制されて、小容量貯蔵部から一定の少量の液体を精度良く吐出することができる。
【図面の簡単な説明】
【００１１】
【図１】（ａ）は本発明の第１の実施形態に係るマイクロポンプを示す上面図、（ｂ）は（ａ）のＡ−Ａ線断面相当図。
【図２】（ａ）乃至（ｃ）はそれぞれ同マイクロポンプが備えている袋状部材、圧迫部材及び電磁コイルを示す上方斜視図。
【図３】（ａ）乃至（ｃ）は同マイクロポンプの動作を説明するための図１（ａ）のＢ−Ｂ線断面相当図。
【図４】（ａ）は本発明の第２の実施形態に係るマイクロポンプを示す上面図、（ｂ）は（ａ）のＡ−Ａ線断面相当図。
【図５】（ａ）乃至（ｃ）はそれぞれ同マイクロポンプのスポンジ状部材、磁石とこれを支持する支持部材及び電磁コイルを示す上方斜視図。
【図６】（ａ）及び（ｂ）は同マイクロポンプの動作を説明するための図４（ａ）のＡ−Ａ線断面相当図。
【図７】同上第１又は第２の実施形態のマイクロポンプの袋状部材の吐出チューブに取り付けられる逆流防止用のバルブを示す断面図。
【発明を実施するための形態】
【００１２】
本発明の第１の実施形態に係るマイクロポンプについて、図１乃至図３を参照して説明する。以下においては、薬効テストにおいて実験用マウス等の動物の皮下に埋め込まれるマイクロポンプを例として挙げる。図１及び図２に示すように、マイクロポンプ１は、ポンプケース２と、薬液（液体）を含浸させて成る可撓性を有する袋状部材３と、この袋状部材３を圧迫する磁性体を有した圧迫部材４と、この圧迫部材４に対向して設けられる電磁コイル５と、を備えている。ポンプケース２は、その内部に上記袋状部材３等の各部材を密閉して格納している。袋状部材３は、この部材内に封入されて圧縮及び復元自在なスポンジ状部材６と、薬液をポンプケース２外へ吐出するための吐出チューブ７を有している。袋状部材３及びスポンジ状部材６は、メインタンク（大容量貯蔵部）３１と、分注タンク（小容量貯蔵部）３２と、これらタンク３１，３２の間に位置する分離帯（くびれ部）３３と、を有している。メインタンク３１は、大容量の薬液を貯蔵し、分注タンク３２は、吐出チューブ７に接続され、吐出されるべき小容量の薬液を貯蔵している。分離帯３３は、これらタンク３１，３２を連続一体となるように連通し、かつこれらタンク３１，３２内の薬液を互いに分離している。圧迫部材４は、その一端がポンプケース２にヒンジピン８により回動自在に支持され、他端が電磁コイル５と対向している。電磁コイル５が圧迫部材４の磁性体を磁気吸引することにより、圧迫部材４が回動して分注タンク３２が圧迫されて、薬液が吐出チューブ７から吐出される。
【００１３】
ポンプケース２は、マウスの血液等がマイクロポンプ１内に侵入しないようにするためのものであり、開口を有した箱型のケース部２１と、このケース部２１の開口を塞ぐための蓋部２２と、を有している。ケース部２１は、その底面部において両側面からそれぞれ半円筒状に彫り込まれて形成された凹部２３を有し、これら凹部２３間にヒンジピン８を挿通するための挿通孔２４を有している。また、ケース部２１の底面部には、吐出チューブ７をマイクロポンプ１外へ延出するための吐出孔２５が設けられている。なお、薬効テストにおいて、マウスの皮下組織に損傷を与えないようにするために、ケース部２１及び蓋部２２は面取り加工されることが好ましい。
【００１４】
メインタンク３１は、分注タンク３２内の薬液が吐出されてなくなったときに、その分注タンク３２に補うための薬液を貯蔵しているタンクであり、内部の薬液量にしたがって自身の容積を変化させる伸縮自在なものである。
【００１５】
分注タンク３２は、マウスに注入される薬液量に相当する薬液を貯蔵しているタンクであり、内部を全てスポンジ状部材６によって満たされ、このスポンジ状部材６の容積にしたがって自身の容積を変化させる伸縮自在なものである。分注タンク３２内のスポンジ状部材６は、その一端を分離帯３３を通ってメインタンク３１内に延出している。そのため、そのスポンジ状部材６は、毛細管現象によりメインタンク３１内の薬液を吸い込み、圧迫部材４から圧迫されると薬液を放出し、圧迫から開放されると復元して再びメインタンク３１内の薬液を吸収する機能を有する。スポンジ状部材６の容積及び種類は、マウスへの薬液注入量に合わせて予め選択される。例えばマウスに間欠的に極微量の薬液を注入する場合、スポンジ状部材６の容積を小さくし、又は薬液吸収能力の低いものとする。こうすることにより、吐出させたい極微量の薬液がスポンジ状部材６を介して分注タンク３２内に貯蔵される。上記のようなスポンジ状部材６として、例えばＰＶＡ（ポリビニルアルコール）スポンジ又はＰＵ（ポリウレタン）スポンジ等が用いられる。また、袋状部材３は、１回のテスト毎に新しいものに交換され、若しくはその内部に薬液が補充される。
【００１６】
分離帯３３は、袋状部材３内に含ませた薬液が大容量と小容量とに分けて貯蔵されるようにするために設けられたくびれ状の部分である。この分離帯３３は、分注タンク３２が圧迫部材４に圧迫されている際に、自身も強く圧迫されて内部を通るスポンジ状部材６を押し潰すことにより、薬液がメインタンク３１と分注タンク３２との間で瞬時に移動することを抑制する。なお、分離帯３３は、圧迫部材４から受ける力に耐え得るようにメインタンク３１及び分注タンク３２よりも厚みを増すように補強されてもよい。
【００１７】
圧迫部材４は、長尺状の平板状部材により構成された磁性体であり、図２（ｂ）に示すように、圧迫部材４をポンプケース２に支持するための支持部４１と、袋状部材３を圧迫する圧迫部４２と、圧迫部４２から電磁コイル５側へ突出している突出部４３と、を有している。
【００１８】
支持部４１は、ヒンジピン８を挿通するための挿通孔４４を有し、ポンプケース２の凹部２３に嵌め込まれている。ヒンジピン８が、挿通孔４４，２４，４４に挿通されて、支持部４１がポンプケース２に回動自在に支持されている。この構成により、支持部４１は、圧迫部材４が回動する際の支点としての回動支点部４５となっている。
【００１９】
圧迫部４２は、袋状部材３を圧迫するのに必要な面積を有する。圧迫部４２の回動端寄りは、電磁コイル５によって磁性体が磁気吸引されることにより圧迫部材４を回動支点部４５回りに回動させる作用部４６となっている。また、圧迫部４２は、回動支点寄りにおいてメインタンク３１を圧迫し、回動端寄りにおいて分注タンク３２を圧迫し、中間にある下方に凸形状に折曲した部分が分離帯３３を圧迫する規制部４７となっている。この規制部４７は、圧迫部４２が分注タンク３２を圧迫している際に分離帯３３を圧閉し、この分離帯３３に薬液の瞬時の移動を抑制させることにより、薬液の吐出量を規制する機能を有する。
【００２０】
突出部４３は、圧迫部４２に電磁コイル５の磁気吸引力を効果的に働かせて圧迫部材４が回動し易くするために設けられている。突出部４３の長さは、電磁コイル５の磁気吸引力の強さに応じて適宜に設定される。
【００２１】
電磁コイル５は、図２（ｃ）に示すように、極板５１と、この極板５１に巻回されるコイル５２と、これらを囲むようにＵ字状に形成されたヨーク５３と、を有している。この電磁コイル５は、ポンプケース２の底面部に埋め込まれた釦状の小型電池（不図示）を電源とし、例えばポンプケース２に設けられた受信部が外部から特定周波数の電波を受信することにより動作する。電磁コイル５の構成は、上記に限られず、任意の構成とすることができる。
【００２２】
上記構成を有するマイクロポンプ１の動作について、図３を参照して説明する。図３（ａ）に示すように、電磁コイル５が通電されていないとき、袋状部材３が圧迫部材４から受ける力と袋状部材３自身の復元力とが釣り合った状態で、圧迫部材４が袋状部材３上に乗っている。次に、図３（ｂ）に示すように、電磁コイル５の通電が開始されると、圧迫部材４が電磁コイル５の磁気吸引力によって回動支点部４５回りに回動することにより、規制部４７が分離帯３３を圧閉する。これにより、メインタンク３１内の薬液が分注タンク３２へ瞬時に移動することを抑制されるので、分注タンク３２内の薬液が一定量に規制される。次に、図３（ｃ）に示すように、圧迫部材４の圧迫部４２が規制部４７を支点として分注タンク３２を更に圧迫する。これにより、分注タンク３２内の薬液が吐出チューブ７を通って外部へ吐出される。その後、電磁コイル５の通電が終わると、袋状部材３は、その復元力により圧迫部材４を押し上げて、図３（ａ）の状態に戻り、メインタンク３１内の薬液がスポンジ状部材６の毛細管現象により分注タンク３２内へ移動する。
【００２３】
このように本実施形態のマイクロポンプ１によれば、電磁コイル５の磁気吸引力によって回動した圧迫部材４が分注タンク３２を圧迫することにより、分注タンク３２内の薬液が吐出チューブ７から吐出されるので、簡単な構成で小型化し易いマイクロポンプを作製することができる。また、分離帯３３が規制部４７により圧閉され、薬液がメインタンク３１から分注タンク３２へ瞬時に移動することが抑制されて、分注タンク３２から一定の少量の薬液を精度良く吐出することができる。
【００２４】
次に、本発明の第２の実施形態に係るマイクロポンプについて、図４乃至図６を参照して説明する。以下においては、上記マイクロポンプ１と異なる点について述べる。図４及び図５に示すように、マイクロポンプ１ａにおいて、圧迫部材４の磁性体は、磁石９から成っている。磁石９は、分注タンク３２を挟んで電磁コイル５と対向するように配置されている。また、磁石９は、ポンプケース２の蓋部２２に取り付けられた支持部材１０によって電磁コイル５側に変位自在に支持されている。袋状部材３は、その分注タンク３２を電磁コイル５上に載置した状態でポンプケース２内に配置されている。電磁コイル５が磁石９を磁気吸引することにより、磁石９が電磁コイル５側へ変位して分注タンク３２が圧迫され、薬液が吐出チューブ７から吐出される。
【００２５】
スポンジ状部材６は、図５（ａ）に示すように、全体として扁平状であって、メインタンク３１内に封入される矩形平板状のメイン部材６１と、分注タンク３２内に封入される円板状の分注部材６２と、これらの間に位置する直線状の分離部材６３と、から成る。分離部材６３は、メイン部材６１と分注部材６２とを連続一体となるように連結し、かつこれら部材６１，６２内の薬液を互いに分離する。また、分離部材６３は、メインタンク３１と分注タンク３２との間でくびれているので、分離部材６３における流量抵抗は、メイン部材６１及び分注部材６２における流量抵抗よりも大きくなっている。そのため、袋状部材３が圧迫された際、袋状部材３内の薬液は、分離部材６３を通ってメインタンク３１と分注タンク３２との間を瞬時に移動することを抑制される。なお、袋状部材３は、例えば熱収縮部材等を用いることによって、スポンジ状部材６の形状に沿って形成することができる。また、吐出チューブ７は、ポンプケース２の側面に設けられた吐出孔２５から外部へ延出されている。
【００２６】
磁石９は、図５（ｂ）に示すように、中空円筒状を有し、電磁コイル５側がＮ極、支持部材１０側がＳ極となるように着磁されている。支持部材１０は、磁石９の中心が挿入される棒状のガイドピン１１と、このガイドピン１１が取り付けられ、かつ電磁コイル５側とは反対側の蓋部２２に配置される円板状の鉄板１２（第２の磁性体）と、を有している。ガイドピン１１は、磁石９を電磁コイル５側又は鉄板１２側へと案内する。鉄板１２は、磁石９が電磁コイル５により磁気吸引されないとき分注タンク３２を圧迫しない位置に戻るように磁石９を吸着する。磁石９、ガイドピン１１及び鉄板１２の形状は、任意の形状とすることができる。
【００２７】
電磁コイル５は、図５（ｃ）に示すように、ヨーク５３にコイル５２が巻回されたものが用いられる。電磁コイル５は、その上面を平板にすることが好ましく、こうすれば、磁石９との間で分注タンク３２を均一に圧迫することができ、スポンジ状部材６内の薬液を効果的に放出させることができる。電磁コイル５の構成は、上記に限られず、任意の構成とすることができる。
【００２８】
上記構成を有するマイクロポンプ１ａの動作について、図６を参照して説明する。電磁コイル５が通電されていないとき、磁石９は鉄板１２と吸着しており、分注タンク３２は圧迫されていない（前述の図４（ｂ）の状態）。図６（ａ）に示すように、電磁コイル５が、磁石９側がＳ極、それと反対側がＮ極となるように励磁されると、磁石９は、電磁コイル５の吸引力により、電磁コイル５側へ移動して分注タンク３２を圧迫する。このとき、分離部材６３の流量抵抗によってメインタンク３１及び分注タンク３２間で薬液の瞬時の移動が抑制されるので、分注タンク３２内の薬液が一定量に規制され、分離部材６３側よりも流量抵抗の小さい吐出チューブ７側から吐出される。図６（ｂ）に示すように、電磁コイル５の通電が終わると、鉄板１２が磁石９を吸着して、分注タンク３２が圧迫から開放されて元の状態に復元し、メインタンク３１内の薬液がスポンジ状部材６の毛細管現象により分注タンク３２内へ移動する。電磁コイル５の通電を終える代わりに、電磁コイル５が、磁石９側がＮ極、それと反対側がＳ極となるように励磁されてもよい。こうすることによっても、磁石９は、電磁コイル５の反発力により、鉄板１２側へ移動して鉄板１２と吸着する。
【００２９】
このように本実施形態のマイクロポンプ１ａによれば、磁石９が分離帯３３を圧迫することなく分注タンク３２を圧迫するだけで、分注タンク３２内の薬液が吐出チューブ７から吐出されるので、より簡単な構成で小型化し易いマイクロポンプを作製できる。また、分離部材６３の流量抵抗によってメインタンク３１及び分注タンク３２間で薬液の瞬時の移動が抑制され、一定量に規制された分注タンク３２内の薬液を吐出チューブ７側から精度良く吐出することができる。
【００３０】
図７は、上記各実施形態のマイクロポンプ１，１ａの吐出チューブ７に取り付けられる逆流防止用のバルブ１３を示す。このバルブ１３は、下流側に底部を有し、かつ側面に孔部１４を有した円筒状のパイプ１５と、このパイプ１５の下流端の孔部１４を覆う柔軟性を有したチューブ１６と、を有している。パイプ１５は、その上流端が吐出チューブ７に取り付けられ、または、吐出チューブ７そのものであってもよい。
【００３１】
このようなバルブ１３において、薬液が吐出チューブ７からパイプ１５の下流端に流れてくると、その薬液は孔部１４から染み出るようにしてチューブ１６へと流出する。ここで、チューブ１６はパイプ１５の下流端の側面に密着しているので、薬液がチューブ１６から孔部１４を通ってパイプ１５内に逆流することを防止する。
【００３２】
本発明は、上記実施形態の構成に限られず、発明の趣旨を変更しない範囲で種々の変更が可能である。例えば、マイクロポンプ１は、薬効テストに用いられるだけでなく、微量の液体を吐出するための用途としてそのまま用いられてもよい。また、ポンプケース２は、小型化されたものであれば、上記実施形態で示した形状に限られない。また、圧迫部材４は、任意の構成とすることができる。
【符号の説明】
【００３３】
１      マイクロポンプ
２      ポンプケース
３      袋状部材
３１    メインタンク（大容量貯蔵部）
３２    分注タンク（小容量貯蔵部）
３３    分離帯（くびれ部）
４      圧迫部材
４５    回動支点部
４６    作用部
４７    規制部
５      電磁コイル
６      スポンジ状部材
６３    分離部材（くびれ部）
７      吐出チューブ
８      ヒンジピン（ヒンジ）
９      磁石（圧迫部材）
１１    ガイドピン
１２    鉄板（第２の磁性体）
１３    逆流防止用のバルブ
【図１】
2014180447.tif 000003
【図２】
2014180447.tif 000004
【図３】
2014180447.tif 000005
【図４】
2014180447.tif 000006
【図５】
2014180447.tif 000007
【図６】
2014180447.tif 000008
【図７】
2014180447.tif 000009